(57)【特許請求の範囲】
【請求項１】
農作物を運搬車の荷台に搬送する農作物の搬送装置において、運搬車の荷台に、可動支持部により移動自在に架設された貯留部と、この貯留部の一端に搬送終端部を連結した搬送コンベアとからなり、その搬送コンベアの搬送始端部を圃場面の近くに位置させて使用するようにしてなることを特徴とする農作物の搬送装置。
【請求項２】
上記可動支持部が、上記荷台に固定した一対のレールと、上記貯留部を乗載して、それらのレールに沿って移動可能な乗載支持部とからなることを特徴とする請求項１記載の農作物の搬送装置。
【請求項３】
上記乗載支持部が、走行用ローラを設けた一対のブラケットと、この一対のブラケットを両端部に固定した横架部材とからなることを特徴とする請求項２記載の農作物の搬送装置。
【請求項４】
搬送コンベアは、垂直面内で回動調整可能に貯留部の一端に連結されている請求項１，２又は３記載の農作物の搬送装置。
【請求項５】
搬送コンベアは、荷台の側面に沿って折り畳み可能に貯留部に連結されている請求項１，２，３又は４記載の農作物の搬送装置。
【発明の詳細な説明】
【０００１】
【発明の属する技術分野】
本発明は、西瓜等の農作物を運搬車の荷台に向けて搬送する農作物の搬送装置に関する。
【０００２】
【従来の技術】
従来、収穫した西瓜Ｐａ等の農作物をトラック等の運搬車の荷台Ｒに積載する場合、次のようにしている。たとえば西瓜Ｐａは、図１１に示すように数メートルの畦間隔で栽培されているので、このような場合には、最初に運搬車を畦（イ）側に寄せておき、１人の作業者が圃場にある西瓜Ｐａを拾い上げ、これを運搬車上にいるもう１人の作業者に手渡したり投げ渡したりして積み込む。そして、畦（イ）側の積載が終了した後、運搬車を畦（ロ）側に移動し、上記と同様の積み込み作業を行うようにしていた。
【０００３】
【発明が解決しようとする課題】
しかしながら、西瓜等の重い農作物を拾い上げ、これを運搬車上の作業者に手渡す等の作業は重労働であり、このような作業を長い時間にわたって行うことは難しく、しかも作業効率が低いという欠点があった。さらに、手渡しや投げ渡しでは、せっかく収穫した農作物を落として破損させたり、渡し損なって作業者が怪我をするおそれもある。
【０００４】
そこで本発明は、農作物の運搬車への積み込み作業を安全且つ容易に行えるとともに、作業性の向上を図った農作物の搬送装置の提供を目的とする。
【０００５】
【課題を解決するための手段】
本発明農作物の搬送装置は、運搬車の荷台Ｒに、可動支持部により移動自在に架設された貯留部Ｄと、この貯留部Ｄの一端に搬送終端部Ｃｂを連結した搬送コンベアＣとからなり、その搬送コンベアＣの搬送始端部Ｃａを圃場面の近くに位置させて使用するようにしている。
【０００６】
【発明の実施の形態】
本発明の実施の形態について図面を参照して説明する。Ａは収穫した西瓜等の農作物Ｐを運搬車の荷台Ｒに向けて搬送する搬送部、Ｂは搬送部Ａを荷台Ｒ上で移動自在に支持する可動支持部である（図１R>１，３）。
【０００７】
搬送部Ａは、シュータ１と、これを搬送始端部Ｃａに取り付けるとともに、該シュータ１から供給された農作物Ｐを荷台Ｒに向けて搬送する搬送コンベアＣと、これの搬送終端部Ｃｂに一端を取り付けるとともに、該搬送コンベアＣから搬出される農作物Ｐを一時的に貯留しておく貯留部Ｄとからなる。
【０００８】
搬送コンベアＣは、これの搬送始端部Ｃａに設けたシュータ取付け部２と、貯留部Ｄと連結する搬送終端部Ｃｂに設けた連結部３とを、互いに平行に配置した一対のフレーム４，４で連結した構成としている（図１，３，４）。
【０００９】
シュータ取付け部２は、一対のフレーム４，４の下端部に固定された一対の側板５，５（一方は図示しない））間に、後述する搬送ベルト６を張設する従動ローラ７が回転自在に配置されたものである。また、各側板５の上縁部には、シュータ１を傾動調整できるように支持する２対のシュータ支持部材８，８、９，９（いずれも一方は図示しない）の各一端部がピン接続されている。
【００１０】
シュータ１は、農作物（本実施例では西瓜）の形状に合わせた断面Ｕ字形のもので、これの側壁下方には、一対のシュータ支持部材８，８の他端部をスライド自在に支持するスライド溝１ａが形成され、これの後方に一対のシュータ支持部材９，９の他端部がピン接続されている。これにより、シュータ１の一部を持ってこれを任意の角度に傾動させれば、一対のシュータ支持部材８，８の他端部がスライド溝１ａに沿ってスライドし、シュータ１の傾動調整を行うことができる。
【００１１】
上記一対のフレーム４，４の上面には、搬送ベルト６を担持する担持ローラ１１を回転自在に支持した複数対のローラブラケット１２，１２が所要の間隔で配列されている。各一対のローラブラケット１２，１２は、一対のフレーム４，４上面側の搬送ベルト６が断面Ｖ形に変形するように、各担持ローラ１１，１１を、これの内端部より外端部が高くなるように傾斜支持している（図４）。
【００１２】
連結部３は、一対のフレーム４，４の上端部に固定された一対の側板１３，１３間に駆動ローラ１４を回転自在に配置するとともに、それらの側板１３，１３（図６，７）のうちの一方に、該駆動ローラ１４を駆動するギャードモータ１５が固定されている。
【００１３】
上記シュータ取付け部２の従動ローラ７と、連結部３の駆動ローラ１４との間には上記搬送ベルト６が張設されている。ギャードモータ１５を駆動すれば、搬送ベルト６は農作物Ｐを搬送始端部Ｃａから搬送終端部Ｃｂに向けて搬送するように走行する。
【００１４】
搬送ベルト６は例えばゴム製のもので、これには、これに載せられた農作物Ｐを支持する一対の農作物支持板１６，１６が所要の間隔で立設されている。それらは、図４に示すようにほぼ方形の板状体であり、また、該搬送ベルト６が上記担持ローラ１１によってＶ字形に変形される上面側において、互いに傾斜したときに障害とならないように、それらの対向上端部１６ａ，１６ａが斜めに切り欠かれている。
【００１５】
貯留部Ｄは、連結部１８と、シュート１９とからなる（図５，６）。連結部１８は、上記連結部３に第１の回動軸１７を中心として回動自在に連結された一対の側板２０，２０と、これらの側板２０，２０を、一側部に設けた第２の回動軸２１を中心として水平面内で回動自在に支持するとともに、シュート１９の基端部１９ａを固定した、固定部２２とからなる。
【００１６】
固定部２２は、シュート１９の基端部１９ａを取り付ける方形の支持板２２ｂの上縁部に、搬送コンベアＣの搬送終端部Ｃｂから搬出された農作物Ｐをシュート１９に導くガイド板２２ａを水平に設けたものである（図５〜７）。なお、図７には、搬送コンベアＣを第２の回動軸２１を中心として水平面内で回動させた状態を示す。
【００１７】
シュート１９は、４本の支持部材２３の基端部が上記方形からなる支持板２２ｂの四隅に固定されているとともに、それらのうち上側の２本の支持部材２３間に例えばテント生地等の布２４を、これに農作物Ｐが保持されるように垂下状態で支持したものである（図８）。なお、２５は上側の支持部材２３と下側の支持部材２３とに固定された補強部材である。
【００１８】
４本の支持部材２３の先端部には方形の当接板２６が固定されている。これの農作物Ｐとの当接面には、農作物Ｐを傷つけないようにゴムやスポンジ等の弾性材（図示しない）等を貼着しておくとよい。
【００１９】
前述したシュータ取付け部２の一対の側板５の一方には、軸２７ａを中心として回動自在なＬ字形の操作レバー２７が取り付けられている。また、連結部１８の一対の側板１３の一方には、第１の回動軸１７を中心とする弧状に形成したラチェット２８が回転自在に取り付けられており、連結部３の一方の側板１３には、ラチェット２８に係止するラチェット爪２９が軸３０を中心として回動自在に取り付けられている。
【００２０】
３１はラチェット爪２９をラチェット２８に常時係止させておくように、側板１３とラチェット爪２９の係止部２９ａとの間に張設した引張スプリングである（図５）。
【００２１】
前記複数のローラブラケット１２のうちの１つの側面には、リンク３２が回動自在に取り付けられており、操作レバー２７と該リンク３２との間、及びそのリンク３２とラチェット爪２９との間には、それぞれ押し引きロッド３３，３４が連結されている。
【００２２】
通常、引張スプリング３１によってラチェット爪２９がラチェット２８の歯に係止されて、搬送コンベアＣの傾斜角度が保持されている。該搬送コンベアＣの傾斜角度を変更しようとして操作レバー２７を操作すると、これの操作に伴う回動が押し引きロッド３３、リンク３２、押し引きロッド３４を介してラチェット爪２９に伝達される。
【００２３】
これにより、引張スプリング３１の引張力に抗してラチェット爪２９がラチェット２８から離れる方向に回動され、ラチェット爪２９とラチェット２８との係止状態が解除される。
【００２４】
この状態で搬送コンベアＣの傾斜角度を調整し、その後、操作レバー２７を元の位置に復帰させれば、引張スプリング３１の引張力によりラチェット爪２９とラチェット２８とが再度係止状態になり、搬送コンベアＣが調整後の傾斜角度で保持される。
【００２５】
このようにして、搬送コンベアＣを、これの搬送始端部Ｃａを圃場面に近づけるように、あるいは離すように回動調整できる（図１）。
【００２６】
上記可動支持部Ｂは、荷台Ｒの両側面にそれぞれ固定した一対のレール３５，３５と、上記貯留部Ｄを乗載して、それらのレール３５，３５に沿って移動可能な乗載支持部３６とからなる。
【００２７】
乗載支持部３６は、一対のブラケット３７，３７と、この一対のブラケット３７，３７を両端部に垂下固定するとともに互いに平行に配置した一対の横架部材３８，３８と、各ブラケット３７に設けられた、本乗載支持部３６をレール３５に沿う所定位置で停止させるストッパ機構３９とからなる。ブラケット３７，３７は、これらの上縁部と下縁部とがそれぞれレール３５，３５と平行に形成された側面略菱形のものであり、これらの荷台Ｒとの対向面には、各レール３５を挟む対向する上下位置に、それそれ２個の走行用ローラ３６ａが設けられている。
【００２８】
ストッパ機構３９は、荷台Ｒ側面の後部と前部の２つの位置にそれぞれ突出して形成された係止片４０，４０と、各ブラケット３７の裏面に設けた軸４１を中心として、上記係止片４０に係止される係止位置と、これから離脱した離脱位置との間で回動可能な係止用レバー４２と、両ブラケット３７，３７の係止用レバー４２，４２どうしを、横架部材３８の中央に回動自在に設けたリンク４３との間に連結した押し引きロッド４４，４４とからなる。４５は係止用レバー４２に常時係止位置に向けた引張力を与える、該操作レバー４２の下端部とブラケット４２との間に設けた引張スプリングである（図９，１０）。
【００２９】
これにより、一対の係止用レバー４２，４２の一方をこれに対向する係止片４０に係止させれば、他方の係止用レバー４２もこれに対向する係止片４０に係止できる。また、一方の係止用レバー４２をこれに対向する係止片４０から離脱させれば、他方の係止用レバー４２もこれに対向する係止片４０から離脱させることができる。
【００３０】
上記横架部材３８，３８上には、前記シュート１９の先端部を回動自在に支持する一対の支持片４６，４６が形成されており、基端部には、一対の支持片４６，４６を中心として貯留部Ｄの傾斜角度を調整する角度調整部４７が設けられている（図１，３）。
【００３１】
次に、本装置を使用した農作物の運搬車への積み込み作業について説明する。まず、可動支持部Ｂを荷台Ｒの後部位置に係止し（図２）、搬送コンベアＣの搬送始端部Ｃａを圃場面の近くに位置させるとともに、該搬送コンベアＣの傾斜角度やシュータ１の傾斜角度を調整する。
【００３２】
シュータ１に農作物Ｐを載せると、これが搬送コンベアＣに向けて移動して、それの搬送始端部Ｃａに供給される。搬送コンベアＣに供給された農作物Ｐは、搬送ベルト６と農作物支持板１６上に支持された状態で搬送終端部Ｃｂに向けて搬送される。
【００３３】
搬送終端部Ｃｂに搬送された農作物Ｐは、貯留部Ｄのシュート１９に転載され、これの先端部側から徐々に貯留される。荷台Ｒ上にいる作業者は、このシュート１９上に貯留されている農作物Ｐを荷台Ｒ上に移し変える。
【００３４】
また、圃場に収穫されている農作物の位置や荷台に移し変えた農作物の位置等を勘案して、可動支持部Ｂをレール３５に沿って前方の係止位置に向けて移動し、その位置においてシュート１９上に貯留されている農作物Ｐを荷台Ｒ上に移し変えることもできる。
【００３５】
以上のようにして積み込み作業が終了したら、搬送コンベアを荷台の側面に折り畳み、別の圃場あるいは作業場に移動する。
【００３６】
なお、本発明は前述した実施例に限るものではなく、その要旨の範囲内で様々に変形実施が可能である。上記実施例では、搬送コンベアの搬送始端部にシュータを設けたものを例として説明したが、そのようなシュータを設けずに、搬送コンベアの搬送始端部あるいはそれの中間部に農作物を直接投入するようにしてもよい。
【００３７】
【発明の効果】
本発明によれば、運搬車の荷台に、可動支持部により移動自在に架設された貯留部と、この貯留部の一端に搬送終端部を連結した搬送コンベアとを設けているので、農作物の運搬車への積み込み作業を安全且つ容易に行えるとともに、作業性の向上を図ることができる。
【００３８】
可動支持部によって貯留部を荷台上で前後移動させられるので、荷台上での農作物の移載作業を容易に行うことができる。
【００３９】
搬送コンベアが、垂直面内で回動調整可能に貯留部に連結されているので、該搬送コンベアに農作物を供給する作業者が、作業を行いやすい高さにその搬送始端部を調整できる。
【図面の簡単な説明】
【図１】本発明農作物の搬送装置を運搬車に装架した正面図である。
【図２】その側面図である。
【図３】図１に示す本発明農作物の搬送装置と運搬車の拡大図である。
【図４】図３のＩ−Ｉ線縦断面図である。
【図５】両連結部を中心とする部分拡大図である。
【図６】その平面図である。
【図７】図６に示す搬送コンベアを回動させた状態を示す平面図である。
【図８】シュートの部分拡大斜視図である。
【図９】可動支持部のブラケットの構造を示す拡大正面図である。
【図１０】その側面図である。
【図１１】運搬車への農作物の従来の積み込み作業を示す説明図である。
【符号の説明】
Ｂ 可動支持部
Ｃａ 搬送始端部
Ｃ 搬送コンベア
Ｃｂ 搬送終端部
Ｄ 貯留部
Ｐ 農作物
Ｒ 荷台
【図１】
0003799640.tif 000002
【図２】
0003799640.tif 000003
【図３】
0003799640.tif 000004
【図４】
0003799640.tif 000005
【図５】
0003799640.tif 000006
【図６】
0003799640.tif 000007
【図７】
0003799640.tif 000008
【図８】
0003799640.tif 000009
【図９】
0003799640.tif 000010
【図１０】
0003799640.tif 000011
【図１１】
0003799640.tif 000012